(57)【特許請求の範囲】
【請求項１】
第１極性を持つ複数の第１電極板と、
第２極性を持って前記第１電極板と交互的に設けられた複数の第２電極板と、
前記第１電極板または第２電極板からそれぞれ延長され、いずれか一つ以上が巻き取られた巻取部を有する複数の第１電極タップまたは第２電極タップと、
前記第１電極板と第２電極板との間に設けられた複数のセパレーターと、
前記第１電極タップまたは第２電極タップのうちいずれか一つ以上に連結されたリードと、を含み、
前記第１電極板、第２電極板及び前記セパレーターは積層され、
前記リードは、前記第１電極タップまたは第２電極タップのうちいずれか一つ以上と一緒に巻き取られることで、前記巻取部が形成されることを特徴とする電極組立体。
【請求項２】
前記第１電極タップまたは第２電極タップのうちいずれか一つ以上は、時計方向または反時計方向に巻き取られていることを特徴とする請求項１記載の電極組立体。
【請求項３】
前記第１電極タップまたは第２電極タップのうちいずれか一つ以上は、それぞれ前記第１電極板または第２電極板から互いに異なる長さで延長されることを特徴とする請求項１記載の電極組立体。
【請求項４】
前記複数の第１電極タップまたは第２電極タップのうち少なくともいずれか一つは、前記電極組立体の一側から他側へ順次に長さが増加して配置されることを特徴とする請求項３記載の電極組立体。
【請求項５】
前記第１電極タップまたは第２電極タップのうちいずれか一つ以上は、前記電極組立体の厚さである幅の間に位置されることを特徴とする請求項１記載の電極組立体。
【請求項６】
前記第１電極タップまたは第２電極タップのうちいずれか一つ以上は、巻き取られて少なくとも１回以上折り曲げられた折曲部を、前記巻取部とともに備えることを特徴とする請求項１記載の電極組立体。
【請求項７】
前記第１電極タップまたは第２電極タップのうちいずれか一つ以上は、折り曲げられた後に時計方向または反時計方向に巻き取られることを特徴とする請求項６記載の電極組立体。
【請求項８】
前記第１電極板または第２電極板から前記巻取部までの距離は、前記第１電極板または第２電極板から前記折曲部までの距離よりさらに離隔された状態であることを特徴とする請求項６記載の電極組立体。
【請求項９】
前記リードは前記折曲部と巻取部との間の位置で前記第１電極タップまたは第２電極タップのうちいずれか一つ以上と連結されることを特徴とする請求項６記載の電極組立体。
【請求項１０】
前記巻取部と折曲部は、前記電極組立体の厚さである幅の間に位置されることを特徴とする請求項６記載の電極組立体。
【請求項１１】
第１極性を持つ複数の第１電極板と、
第２極性を持って前記第１電極板と交互的に設けられた複数の第２電極板と、
前記第１電極板または第２電極板からそれぞれ延長されていずれか一つ以上が巻き取られた巻取部を有する複数の第１電極タップまたは第２電極タップと、
前記第１電極板と第２電極板との間に設けられた複数のセパレーターと、
前記第１電極タップまたは第２電極タップのうちいずれか一つ以上に連結されたリードと、
前記第１電極板、第２電極板、第１電極タップ、第２電極タップ、セパレーター、及び
リードを収容する外装材を含むが、
前記リードは前記外装材の内部領域に部分的に収容され、前記外装材の内部領域のみで前記第１電極タップまたは第２電極タップのうちいずれか一つ以上と連結部位を持ち、
前記第１電極板、第２電極板及び前記セパレーターは積層され、
前記リードは、前記第１電極タップまたは第２電極タップのうちいずれか一つ以上と一緒に巻き取られることで、前記巻取部が形成されることを特徴とする二次電池。
【発明の詳細な説明】
【技術分野】
【０００１】
本発明は、電極組立体及びこれを利用した二次電池に関し、より詳細には、電極タップを簡潔に処理することができる電極組立体に関する。
【背景技術】
【０００２】
近年、携帯電子機器の小型化及び軽量化が急速に進むにつれて、その駆動電源として使用される二次電池に対し、多くの研究が行われている。特に、ビデオカメラ、携帯電話、ノート型パソコン、携帯用個人情報端末機（ＰＤＡ）など携帯無線器機製品の軽量化及び高機能化が進行されるにつれて、これらの製品の駆動電源として使用される二次電池の重要さが増加されている。
【０００３】
このような二次電池は、充電と放電を繰り返えして使うことができるので、使い捨て電池に比べて経済的である。また、小型及び大容量化が可能なことで、作動電圧が高くて単位重量当たりエネルギー密度が高いという長所のため、先端電子機器分野において広く使われている。特に、リチウム二次電池は作動電圧が３．７Ｖで、携帯電子装備電源として多く使用されているニッケル−カドミウム電池や、ニッケル−水素電池より３倍も高くて、単位重量当たりエネルギー密度が高いという側面から急速に需要が伸びている。
【０００４】
代表的に、二次電池は形状の面では薄い厚さで携帯電話などのような製品等に適用されうる缶型電池とパウチ型電池に対する需要が高く、材料の面ではエネルギー密度、放電電圧、安全性の優秀なリチウムポリマー電池のような二次電池に対する需要が高い。このように缶またはパウチのような外装材（またはハウジング）内部に収容された電極組立体は、陽極板、陰極板及びその間に介在されたセパレーターなどが順次に積層されるとか巻取られた構造を持つ。このうち、積層型の電極組立体は、陽極板と陰極板それぞれにおいて電極タップが延長されてそれぞれ融着された状態で陽極及び陰極電極リードとそれぞれ電気的に連結される。そして、このような電極リードは缶またはパウチの外部に一部が露出された後、工程で保護回路モジュールと電気的に連結される。
【０００５】
しかしながら、このように電極組立体の陽極板及び陰極板からそれぞれ延長された電極タップは、直線形態で長く延長された状態で電極リードと電気的に連結されるので、電極タップが外装材内部の空間を大きく占めるため、外装材内部空間の活用度が落ちるという問題がある。
【発明の概要】
【発明が解決しようとする課題】
【０００６】
したがって、本発明は上記問題を解決するために案出されたもので、その目的は、二次電池を積層型で具現する際、外装材の内部で複数の電極タップを重ねた後折り曲げまたは巻取することによって電極タップを簡潔に処理することができる電極組立体及びこれを利用した二次電池を提供することである。
【課題を解決するための手段】
【０００７】
前記目的を達成するために本発明の一実施例による電極組立体は、第１極性を持つ複数の第１電極板と、第２極性を持って前記第１極板と交互的に設けられた複数の第２電極板と、前記第１電極板または第２電極板からそれぞれ延長され、いずれか一つ以上が巻き取られるかあるいは少なくとも１回以上折り曲げられた複数の第１電極タップまたは第２電極タップと、前記第１電極板と第２電極板との間に設けられた複数のセパレーターと、前記第１電極タップまたは第２電極タップのうちいずれか一つ以上に連結されたリードと、を含む電極組立体を提供する。
【０００８】
また、前記第１電極板、第２電極板及び前記セパレーターは積層されている。
【０００９】
また、前記第１電極タップまたは第２電極タップのうちいずれか一つ以上は、時計方向または反時計方向に巻き取られている。
【００１０】
また、前記第１電極タップまたは第２電極タップのうちいずれか一つ以上は、それぞれ前記第１電極板または第２電極板から互いに異なる長さで延長される。
【００１１】
また、前記複数の第１電極タップまたは第２電極タップのうち少なくともいずれか一つは、前記電極組立体の一側から他側へ順次に長さが増加して配置されうる。
【００１２】
また、前記第１電極タップまたは第２電極タップのうちいずれか一つ以上は、前記電極組立体の厚さである幅の間に位置される。
【００１３】
また、前記第１電極タップまたは第２電極タップのうちいずれか一つ以上は、巻き取られて少なくとも１回以上折り曲げられて巻取部と折曲部を一緒に備える。
【００１４】
また、前記第１電極タップまたは第２電極タップのうちいずれか一つ以上は、折り曲げられた後に時計方向または反時計方向に巻き取られる。
【００１５】
また、前記第１電極板または第２電極板から前記巻取部までの距離は、前記第１電極板または第２電極板から前記折曲部までの距離よりさらに離隔されている。
【００１６】
また、前記リードは前記折曲部と巻取部との間の位置で前記第１電極タップまたは第２電極タップのうちいずれか一つ以上と連結される。
【００１７】
また、前記巻取部と折曲部は、前記電極組立体の厚さである幅の間に位置される。
【００１８】
また、前記リードは前記第１電極タップまたは第２電極タップのうちいずれか一つ以上と一緒に巻き取られる。
【００１９】
さらに、本発明のまた他の実施例によれば、第１極性を持つ複数の１電極板と、第２極性を持って前記第１極板と交互的に設けられた複数の第２電極板と、前記第１電極板または第２電極板からそれぞれ延長されていずれか一つ以上が巻き取られるか、あるいは少なくとも１回以上折り曲げられた複数の第１電極タップまたは第２電極タップと、前記第１電極板と第２電極板との間に設けられた複数のセパレーターと、前記第１電極タップまたは第２電極タップのうちいずれか一つ以上に連結されたリードと、前記第１電極板、第２電極板、第１電極タップ、第２電極タップ、セパレーター、及びリードを収容する外装材を含むが、前記リードは前記外装材の内部領域に部分的に収容され、前記外装材の内部領域のみで前記第１電極タップまたは第２電極タップのうちいずれか一つ以上と連結部位を持つ二次電池を提供する。
【００２０】
さらに、本発明のまた他の実施例によれば、第１極性を持つ複数の第１電極板と、第２極性を持って前記第１極板と交互的に設けられた複数の第２電極板と、前記第１電極板または第２電極板からそれぞれ延長されながら少なくとも一つ以上が前記第１電極板または第２電極板に向かう方向で一緒に折り曲げられて折曲部を備える複数の第１電極タップまたは第２電極タップと、前記第１電極板と第２電極板との間に設けられた複数のセパレーターと、前記折曲部に連結されたリードとを含む電極組立体を提供する。
【００２１】
さらに、本発明のまた他の実施例によれば、第１極性を持つ複数の第１電極板と、第２極性を持って前記第１極板と交互的に設けられた複数の第２電極板と、前記第１電極板または第２電極板からそれぞれ延長されながら少なくとも一つ以上が前記第１電極板または第２電極板に向かう方向で一緒に折り曲げられて折曲部を備える複数の第１電極タップまたは第２電極タップと、前記第１電極板と第２電極板との間に設けられた複数のセパレーターと、前記折曲部に連結されたリードと、前記第１電極板、第２電極板、第１電極タップ、第２電極タップ、セパレーター及びリードを収容する外装材を含むが、前記リードは前記外装材の内部領域に部分的に収容され、前記外装材の内部領域のみで前記折曲部に連結部位を持つ二次電池を提供する。
【００２２】
さらに、本発明のまた他の実施例によれば、第１極性を持つ複数の第１電極板、第２極性を持って前記第１極板と交互的に設けられた複数の第２電極板と、前記第１電極板または第２電極板の少なくともいずれか一つからそれぞれ延長されながら少なくとも２回以上折り曲げられて折曲部を形成する第１電極タップまたは第２電極タップ、前記第１電極板と第２電極板との間に設けられた複数のセパレーター及び前記折曲部に連結されたリードを含む電極組立体を提供する。
【００２３】
また、前記第１電極タップまたは第２電極タップのうち少なくともいずれか一つ以上は、前記第１電極板または第２電極板から前記第１電極タップまたは第２電極タップが引き出される逆方向に折り曲げられた後、前記第１電極タップまたは第２電極タップの引き出し方向に再度折り曲げることができる。
【００２４】
また、前記折曲部で前記第１電極板に向けて前記第１電極タップまたは第２電極タップのうち少なくともいずれか一つ以上を折り曲げた第１折曲部と、前記第１電極板から離隔されて前記第１電極タップまたは第２電極タップのうち少なくともいずれか一つ以上を折り曲げる第２折曲部とを含む。
【発明の効果】
【００２５】
以上説明したように、本発明によれば二次電池の外装材の内部で複数の電極タップを重ねた後折り曲げまたは巻取ることによって電極タップを簡潔に処理することができる電極組立体を得ることができるという効果を奏する。
【００２６】
また、本発明によれば電極タップ及びリードを一緒に巻取ることで、外装材の内部空間の活用度を高められるだけでなく、電極タップとリードを一緒に巻取処理することで、工数を減らすことができるという効果を奏する。
【図面の簡単な説明】
【００２７】
【図１】本発明の第１実施例による二次電池を示す分解斜視図である。
【図２】本発明の第１実施例による二次電池を示す斜視図である。
【図３】図２のＡ−Ａ’線による断面図である。
【図４】本発明の第２実施例による電極組立体を示す断面図である。
【図５】本発明の第３実施例による巻取られた電極タップとリードが接合される状態を示す断面図である。
【図６】本発明の第４実施例による折り曲げられた電極タップとリードが接合される状態を示す断面図である。
【図７】本発明の第５実施例による折り曲げられた電極タップとリードが接合される状態を示す断面図である。
【図８】本発明の第６実施例による折り曲げられた後巻取られた電極タップとリードが接合される状態を示す断面図である。
【図９】本発明の第７実施例による折り曲げられた後巻取られた電極タップとリードが接合される状態を示す断面図である。
【図１０Ａ】本発明の第８実施例による電極タップとリードを一緒に巻取した状態を示す断面図である。
【図１０Ｂ】本発明の第８実施例によるリードを電極組立体の反対方向へ折り曲げた状態を示す断面図である。
【発明を実施するための最良の形態】
【００２８】
以下、本発明の実施例を示した図面を参照して本発明による電極組立体及びこれを利用した二次電池について具体的に説明するが、図面の説明の前に本発明において使用される用語を定義する。折り曲げとは、電極タップが曲げられた状態を意味し、巻取りとは電極タップが螺旋形で巻かれた状態を意味する。そして、電極タップの引き出し方向は、リードが位置された方向を意味し（電極組立体から遠ざかる方向）、電極タップの引き出し逆方向は電極組立体が位置された方向（電極組立体に向かう方向）を意味する。さらに、本発明の実施例では陽極板、陽極タップ、陰極板および陰極タップの用語が使用されたが、前記用語らはそれぞれ第１極性を有する第１電極板、第１電極タップ、第２極性を有する第２電極板および第２電極タップを意味すると仮定する。
【００２９】
図１は、本発明の第１実施例による二次電池を示す分解斜視図である。図１を参照すれば、電極組立体１０は活物質が塗布された陽極板１１、及び陰極板１３が交互的に配置されて、その間にセパレーター１２が介在されて積層される。陽極板１１には一側から延長される陽極タップ１１ａが形成され、陰極板１３には陽極タップ１１ａと同じ方向であるが他側から延長される陰極タップ１３ａが形成される。
【００３０】
本発明の第１実施例では、積層型電極組立体を図示したが、その外に複数の電極タップが形成されて重なる構造の電極組立体で形成されても良いのは勿論である。
【００３１】
このような陽極板１１と陰極板１３は、二次電池の種類によって多少差があるが、通常的に金属基材に活物質を塗布及び充電し、これを乾燥、ロールプレス及び切断して形成する。陽極板１１及び陰極板１３は、それぞれアルミニウム金属箔と銅金属箔にスラリーをコーティング乾燥して製作される。この際、スラリーは陽極板１１及び陰極板１３それぞれの活物質と、活物質を金属箔に粘着するようにする固定剤とを含む。リチウム二次電池の場合、陽極活物質としては主にリチウム含有酸化物が利用され、陰極活物質としてはハードカーボン、ソフトカーボン、黒鉛及び炭素物質のうちいずれか一つを主に利用することができるが、本発明はリチウム二次電池に限定されるものではない。
【００３２】
セパレーター１２は、陽極板１１及び陰極板１３との間に介在されて、高いイオン透過度と機械的強度を持つ絶縁性の薄い薄膜が使われる。セパレーター１２の気孔の直径は一般的に０．０１〜１０μｍで、厚さは一般的に５〜３００μｍである。このようなセパレーター１２としては、例えば、耐化学性及び疏水性のポリプロピレンなどのオレフイン係ポリマー、ガラスファイバーまたはポリエチレンなどで作られたシートや不織布などが使用可能である。この際、電解質としてポリマーなどの固体電解質が使われる場合には、固体電解質がセパレーター１２を兼ねることも可能である。そして、パウチケース２０は、電極組立体１０を収容することができる収納空間を備え、通常的にアルミニウム薄膜の上面と下面に積層構造を持つように形成されて、パウチケース２０の内面は熱樹脂からなる。
【００３３】
図２は、本発明の第１実施例による二次電池を示す斜視図で、図３は図２のＡ−Ａ’線による断面図である。図２及び図３を参照すれば、パウチケース２０の収納空間に電極組立体１０を収納する際、陽極タップ１１ａに接合された陽極リード１１ｂ及び陰極タップ１３ａに接合された陰極リード１３ｂは、パウチケース２０の外部へ一部が露出される。この際、パウチケース２０と触れ合う陽極リード１１ｂ及び陰極リード１３ｂには、パウチケース２０との密封度を高めると同時に電気的絶縁状態を確保するための絶縁テープ３０が付着されている。
【００３４】
電極組立体１０は、陽極タップ１１ａが延長された陽極板１１と陰極タップ１３ａが延長された陰極板１３が交互的に配置されて、その間にセパレーター１２が介在される。この際、陽極タップ１１ａ及び陰極タップ１３ａはそれぞれ時計方向に巻取られた状態で陽極リード１１ｂ及び陰極リード１３ｂと連結される。ここで、陽極タップ１１ａ及び陰極タップ１３ａが巻取られた後、巻取部１４は電極組立体１０の幅Ｂの内側に位置されるように巻き取られることができる。すなわち、本発明で前記陽極タップ及び陰極タップ（１１ａ、１３ａ）の少なくともいずれか一つ以上は前記電極組立体の厚さである幅の内側に位置することができる。これによってパウチケース２０の密封部２１側の内部空間に陽極タップ１１ａ及び陰極タップ１３ａの占める空間が減ることになり、空間活用度を高めることができる。すなわち、密封部２１側に残る空間ほど、陽極タップ及び陰極タップによって占有されるべき空間、陽極板１１及び陰極板１３のサイズを増加させて電池容量を拡大させることも可能であり、パウチケース２０をさらに小さく形成して最終製品のサイズを小さくすることもできる。
【００３５】
前述したように、パウチケース２０は通常的にアルミニウム薄膜の上面と下面にナイロン、ポリプロピレンやポリエチレンなどの合成樹脂で覆われた積層構造を持つように形成され、密封のためにパウチケース２０の内面は熱接着性樹脂からなる。したがって、パウチケース２０は内面にコーティングされた熱接着性樹脂が加熱、加圧によって相互融着されて密封することができる。
【００３６】
図４は、本発明の第２実施例による電極組立体を示す断面図である。図４を参照すれば、陽極タップ１１ａは引き出し長さが異なるように形成される。これは陽極タップ１１ａが巻取または折り曲げの際に工程の便宜のために最も内側に位置される陽極タップ１１ａ−５が最も短く形成され、最も外側に位置される陽極タップ１１ａ−１が最も長く形成される。すなわち、最も内側に位置される陽極タップ１１ａ−５と最も外側に位置される陽極タップ１１ａ−１、及びその間に順次に位置される陽極タップ（１１ａ−４、１１ａ−３、１１ａ−２の）の長さは、１１ａ−１＞１１ａ−２＞１１ａ−３＞１１ａ−４＞１１ａ−５の順に形成される。
【００３７】
ここで、陰極板１３から引き出された陰極タップ１３ａは図示しなかったが、陽極タップ１１ａと同様に陰極タップ１３ａの引き出し長さが異なるように形成することができる。前記陰極板１３または陽極板１１のいずれか一つ以上は前記電極組立体の一側から他側へ順次に長さが増加しながら延長されうる。
【００３８】
図５は、本発明の第３実施例による巻取られた電極タップとリードが接合される状態を示す断面図である。図５を参照すれば、電極板（図示せず）から引き出された電極タップ１５ａは、反時計方向に巻取られた後、巻取部１４の下部にリード１５ｂが電気的に連結される。この際、リード１５ｂは巻取部１４の上部で巻取部１４と連結されても良いのは勿論である。そして、巻取部１４とリード１５ｂとは溶接によって連結されることができ、電極タップ１５ａは電極組立体の幅内側に位置される。
【００３９】
図６は、本発明の第４実施例による折り曲げられた電極タップとリードが接合される状態を示す断面図である。図６を参照すれば、本発明による第４実施例は電極板（図示せず）から延長された電極タップ２１ａが１回折り曲げられた状態でリード２１ｂと連結される。ここで、電極タップ２１ａは電極タップ２１ａの引き出し逆方向、すなわち、電極組立体が位置された方向に向けて下部に折り曲げられて折曲部２２が形成される。そして、リード２１ｂは折り曲げられた状態の電極タップ２１ａ上部に溶接される。
【００４０】
図面には図示されなかったが、電極タップ２１ａは電極タップ２１ａの引き出し逆方向に向けて上部に折り曲げられることもでき、リード２１ｂは電極タップ２１ａの上部または下部に溶接されうる。また、電極タップ２１ａの引き出し長さは折り曲げが容易になるように折り曲げられた内側から外側に行くほど増加されるように形成することができ、電極タップ２１ａは電極組立体の幅内側に位置するように形成することができる。
【００４１】
図７は、本発明の第５実施例による折り曲げられた電極タップとリードが接合される状態を示す断面図である。図７を参照すれば、本発明による第５実施例は電極板（図示せず）から延長された電極タップ３１ａが２回折り曲げられた状態でリード３１ｂと連結される。ここで、電極タップ３１ａは電極タップ３１ａの引き出し逆方向に折り曲げられて第１折曲部３２を形成し、再度電極タップ３１ａの引き出し方向に折り曲げられて第２折曲部３３を形成する。
【００４２】
すなわち、電極組立体が位置された方向に向けて上部に折り曲げられて第１折曲部３２を形成し、再度リード３１ｂが位置された方向に向けて上部に折り曲げられて第２折曲部３３を形成する。そして、リード３１ｂは２回折り曲げられた状態の電極タップ３１ａの上部に溶接される。ここで、図面には図示しなかったが、リード３１ｂが２回折り曲げられた状態の電極タップ３１ａの下部に溶接されうる。
【００４３】
図８は、本発明の第６実施例による折り曲げられた後巻取られた電極タップとリードが接合される状態を示す断面図である。図８を参照すれば、本発明による第６実施例は、電極板（図示せず）から延長された電極タップ４１ａが電極タップ４１ａの引き出し逆方向に１回折り曲げられた後、時計方向に巻取られた状態でリード４１ｂと連結される。ここで、電極タップ４１ａは電極組立体が位置された方向に向けて上部に折り曲げられて折曲部４２を形成し、時計方向に巻取されながら巻取部４３を形成する。そして、リード４１ｂは折曲部４２と巻取部４３との間に溶接される。また、リード４１ｂは巻取部４３に上部に溶接されうる。
【００４４】
そして、図面に図示されなかったが、電極タップ４１ａの引き出し長さは折り曲げ及び巻取が容易になるように折り曲げ及び巻取られた内側から外側に行くほど増加されるように形成されることができ、電極タップ４１ａは電極組立体の幅内側に位置するように形成されうる。
【００４５】
図９は、本発明の第７実施例による折り曲げられた後巻取られた電極タップとリードが接合される状態を示す断面図である。図９を参照すれば、本発明による第７実施例は、電極板（図示せず）から延長された電極タップ５１ａが電極タップ５１ａの引き出し逆方向に下部に１回折り曲げられた後、反時計方向に巻取られた状態でリード５１ｂと連結される。ここで、電極タップ５１ａは電極組立体が位置された方向に向けて下部に折り曲げられて折曲部５２を形成し、反時計方向に巻取られながら巻取部５３を形成する。そして、リード５１ｂは折曲部５２と巻取部５３との間に溶接される。また、リード５１ｂは巻取部５３の上部に溶接されうる。
【００４６】
図１０Ａは、本発明の第８実施例による電極タップとリードを一緒に巻取った状態を示す断面図で、図１０Ｂは本発明の第８実施例によるリードを電極組立体の反対方向に折り曲げた状態を示す断面図である。図１０Ａ及び図１０Ｂを参照すれば、リード６１ｂを電極板から引き出された電極タップ６１ａの上部に置かれるようにした後、リード６１ｂ及び電極タップ６１ａを反時計方向に一緒に巻取ってリード６１ｂが最も内側に位置するように巻取部６２を形成する。そして、巻取られていないリード６１ｂの端部（電極組立体側に位置されたリードの端部）を電極組立体の反対方向（Ｃ方向）へ引っぱって巻取られていないリード６１ｂの端部が電極組立体の反対方向に向うように折り曲げられた折曲部６３を形成する。以後、電極タップ６１ａとリード６１ｂを溶接して接合強度を補強する。
【００４７】
本発明の第８実施例によれば、電極タップ６１ａ及びリード６１ｂを一緒に巻取ることで、外装材の内部空間の活用度を高めることができるだけでなく、電極タップ６１ａとリード６１ｂを一緒に巻取処理することで、工数を減らすことができる。
【００４８】
以上のように、本発明の最も好ましい実施形態について説明したが、本発明は、上記記載に限定されるものではなく、特許請求の範囲、又は明細書に開示された発明の要旨に基づき、当業者が様々な変形や変更が可能であり、斯かる変形や変更が、本発明の範囲に含まれることは言うまでもない。
【符号の説明】
【００４９】
１０  電極組立体、
１１  陽極板、
１３  陰極板、
１２  セパレーター、
１１ａ  陽極タップ、
１３ａ  陰極タップ、
２０  パウチケース
【図１】
0005430591.tif 000002
【図２】
0005430591.tif 000003
【図３】
0005430591.tif 000004
【図４】
0005430591.tif 000005
【図５】
0005430591.tif 000006
【図６】
0005430591.tif 000007
【図７】
0005430591.tif 000008
【図８】
0005430591.tif 000009
【図９】
0005430591.tif 000010
【図１０Ａ】
0005430591.tif 000011
【図１０Ｂ】
0005430591.tif 000012